(57)【要約】【課題】利用者が多様なメディアを通じて購入した著作物を一元管理することにより、著作物の重複購入を防止することができる著作権提供装置、著作権提供方法、著作物提供プログラム及び著作物提供プログラム記録媒体を提供する。【解決手段】著作物提供システム１００は、著作物提供装置１、利用者端末３、及び著作物提供装置１と利用者端末３とを接続するインターネット網などのコンピュータネットワーク２を備えており、利用者があらゆるメディアから購入した著作物を著作物提供装置１が一元的に管理することにより、利用者がコンピュータネットワーク２を介して著作物提供装置１から著作物を購入する際には重複購入を防止することができるようになっているコンピュータシステムである。【選択図】      図１
2004185430.tif 000002
【特許請求の範囲】
【請求項１】
利用者端末とコンピュータネットワークを介して相互に通信可能であり、利用者が購入した著作物の購入履歴情報に基づいて重複購入を防止しつつ、前記利用者が購入する著作物を前記利用者端末に提供する著作物提供装置であって、
前記利用者端末内に記憶されている著作物及び該著作物の属性情報を検出する著作物検出手段と、
前記購入履歴情報と前記著作物検出手段で検出した著作物の属性情報との差分情報を抽出して、該差分情報を前記購入履歴情報に反映する購入履歴更新手段と、
を有することを特徴とする著作物提供装置。
【請求項２】
前記購入履歴情報に含まれる著作物と前記利用者が購入しようとする著作物に重複がある場合には、前記利用者に重複ある旨の通知を行う重複情報通知手段を有することを特徴とする請求項１記載の著作物提供装置。
【請求項３】
前記利用者が購入しようとする著作物は、複数の著作物により構成された著作物集合体であることを特徴とする請求項１又は２記載の著作物提供装置。
【請求項４】
購入する著作物の使用条件又は購入する著作物の使用条件と前記購入履歴情報における使用条件との差異に基づいて、前記利用者が購入する著作物の著作権料を算出して、前記利用者端末に通知する著作権料通知手段を有することを特徴とする請求項１乃至３のいずれか１項に記載の著作物提供装置。
【請求項５】
利用者端末とコンピュータネットワークを介して相互に通信可能なコンピュータが、利用者が購入した著作物の購入履歴情報に基づいて重複購入を防止しつつ、前記利用者が購入する著作物を前記利用者端末に提供する著作物提供方法であって、
前記利用者端末内に記憶されている著作物及び該著作物の属性情報を検出する著作物検出ステップと、
前記購入履歴情報と前記著作物検出手段で検出した著作物の属性情報との差分情報を抽出して、該差分情報を前記購入履歴情報に反映する購入履歴更新ステップと、
を有することを特徴とする著作物提供方法。
【請求項６】
前記購入履歴情報に含まれる著作物と前記利用者が購入しようとする著作物に重複がある場合には、前記利用者に重複ある旨の通知を行う重複情報通知ステップを有することを特徴とする請求項５記載の著作物提供方法。
【請求項７】
前記利用者が購入しようとする著作物は、複数の著作物により構成された著作物集合体であることを特徴とする請求項５又は６記載の著作物提供方法。
【請求項８】
購入する著作物の使用条件又は購入する著作物の使用条件と前記購入履歴情報における使用条件との差異に基づいて、前記利用者が購入する著作物の著作権料を算出して、前記利用者端末に通知する著作権料通知ステップを有することを特徴とする請求項５乃至７のいずれか１項に記載の著作物提供方法。
【請求項９】
利用者端末とコンピュータネットワークを介して相互に通信可能なコンピュータが、利用者が購入した著作物の購入履歴情報に基づいて重複購入を防止しつつ、前記利用者が購入する著作物を前記利用者端末に提供する著作物提供プログラムであって、
前記コンピュータに、
前記利用者端末内に記憶されている著作物及び該著作物の属性情報を検出する著作物検出ステップと、
前記購入履歴情報と前記著作物検出手段で検出した著作物の属性情報との差分情報を抽出して、該差分情報を前記購入履歴情報に反映する購入履歴更新ステップと、
を実行させることを特徴とする著作物提供プログラム。
【請求項１０】
前記コンピュータに、前記購入履歴情報に含まれる著作物と前記利用者が購入しようとする著作物に重複がある場合には、前記利用者に重複ある旨の通知を行う重複情報通知ステップを実行させることを特徴とする請求項９記載の著作物提供プログラム。
【請求項１１】
前記利用者が購入しようとする著作物は、複数の著作物により構成された著作物集合体であることを特徴とする請求項９又は１０記載の著作物提供プログラム。
【請求項１２】
前記コンピュータに、購入する著作物の使用条件又は購入する著作物の使用条件と前記購入履歴情報における使用条件との差異に基づいて、前記利用者が購入する著作物の著作権料を算出して、前記利用者端末に通知する著作権料通知ステップを実行させることを特徴とする請求項９乃至１１のいずれか１項に記載の著作物提供プログラム。
【請求項１３】
請求項９乃至１２のいずれか１項に記載の著作物提供プログラムがコンピュータ読み取り可能な記録媒体に記録されていることを特徴とする著作物提供プログラム記録媒体。
【発明の詳細な説明】
【０００１】
【発明の属する技術分野】
本発明は、コンピュータネットワークを介して著作物を提供する著作物提供装置、著作物提供方法、著作物提供プログラム及び著作物提供プログラム記録媒体に関する。
【０００２】
【従来の技術】
現在、インターネット上では様々なショッピングサイトが開設されており、インターネット上で購入することができない商品はないと言われている。音楽に代表される著作物も例外ではなく、試聴してから購入する販売サイトもあれば、利用者が保有する著作物を交換するサイトやソフト（例えば、ＷｉｎＭＸなど）まで幅広く存在している。また、インターネット上で購入した著作物をパソコンで楽しむ利用者もいれば、音楽ＣＤを購入しパソコンに取り込んでＭＰ３（ＭＰＥＧ  Ａｕｄｉｏ  Ｌａｙｅｒ−３）に代表される音楽ファイルに変換して楽しむ利用者もいるし、その両方をあわせて楽しむ利用者もいる。
【０００３】
また、インターネットに接続されているパソコンで音楽ＣＤを再生すれば、再生ソフトが例えばＣＤＤＢ（Ｃｏｍｐａｃｔ  Ｄｉｓｃ  Ｄａｔａ  Ｂａｓｅ）に代表されるサービスによりアルバム名、アーティスト名、著作物名、ジャンルといった属性情報を取得し、それらの情報を付加した音楽ファイルを作成することができるようにもなっている。
【０００４】
このようにメディアが多様化している現在においては、あらゆるメディアから著作物およびその属性情報を入手することが可能となっている。
【０００５】
尚、この出願の関連する先行技術文献情報としては、次のものがある。
【０００６】
【非特許文献１】
［平成１４年１１月２５日検索］、インターネット＜ＵＲＬ：ｈｔｔｐ：／／ｗｗｗ．ｗｉｎｍｘ．ｃｏｍ／＞
【０００７】
【非特許文献２】
［平成１４年１１月２５日検索］、インターネット＜ＵＲＬ：ｈｔｔｐ：／／ｗｗｗ．ｇｒａｃｅｎｏｔｅ．ｃｏｍ／＞
【０００８】
【発明が解決しようとする課題】
ところで、このような状況下では、あらゆるメディアから著作物及びその属性情報を入手することは可能となる反面、これを一元的に管理することが困難であるという課題がある。
【０００９】
例えば、従来のインターネットを媒体として音楽を始めとする著作物を提供する著作物提供装置には以下のような課題がある。
【００１０】
１．利用者が、著作物提供装置から購入した著作物以外に所有する著作物（例えば、音楽ＣＤから直接作成したＭＰ３形式の音楽ファイル）の管理ができない。
【００１１】
２．上記の問題点から、音楽アルバムなどのように著作物の集合体として一括購入する際に、既に所有している著作物を重複購入してしまうおそれがある。
【００１２】
本発明は、上記の課題を解決するためになされたものであり、利用者が多様なメディアを通じて購入した著作物を一元管理することにより、著作物の重複購入を防止することができる著作権提供装置、著作権提供方法、著作物提供プログラム及び著作物提供プログラム記録媒体を提供することを目的とする。
【００１３】
【課題を解決するための手段】
上記目的を達成するため、請求項１記載の本発明は、利用者端末とコンピュータネットワークを介して相互に通信可能であり、利用者が購入した著作物の購入履歴情報に基づいて重複購入を防止しつつ、前記利用者が購入する著作物を前記利用者端末に提供する著作物提供装置であって、前記利用者端末内に記憶されている著作物及び該著作物の属性情報を検出する著作物検出手段と、前記購入履歴情報と前記著作物検出手段で検出した著作物の属性情報との差分情報を抽出して、該差分情報を前記購入履歴情報に反映する購入履歴更新手段と、を有することを要旨とする。
【００１４】
ここで、コンピュータネットワークとは、電気通信技術を利用した通信網全般を意味し、例えば、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）をベースとしたインターネットシステム、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、光ファイバ通信、ケーブル通信、衛星通信等を採用することができる。また、著作物とは、コンピュータネットワークを介して提供可能なデジタルコンテンツとしての著作物をいい、映像、画像、音声、文字、数値情報などの属性を問わず、デジタル化された著作物すべてをいう。また、著作物提供装置とは、プログラムによって本発明の機能を実現することが可能な装置を総称しており、スーパーコンピュータ、汎用コンピュータ、オフィス・コンピュータ、ワークステーション、パソコン、マイクロコンピュータ、ＰＤＡ（Ｐｅｒｓｏｎａｌ  Ｄｉｇｉｔａｌ  Ａｓｓｉｓｔａｎｃｅ）などあらゆる形態を含む。また、構成としては、一つからなる装置、分散されて複数の装置がネットワーク接続されたシステムなどのいずれの構成であっても良い。
【００１５】
請求項２記載の本発明は、請求項１記載の発明において、前記購入履歴情報に含まれる著作物と前記利用者が購入しようとする著作物に重複がある場合には、前記利用者に重複ある旨の通知を行う重複情報通知手段を有することを要旨とする。
【００１６】
請求項３記載の本発明は、請求項１又は２記載の発明において、前記利用者が購入しようとする著作物は、複数の著作物により構成された著作物集合体であることを要旨とする。
【００１７】
請求項４記載の本発明は、請求項１乃至３のいずれか１項に記載の発明において、購入する著作物の使用条件又は購入する著作物の使用条件と前記購入履歴情報における使用条件との差異に基づいて、前記利用者が購入する著作物の著作権料を算出して、前記利用者端末に通知する著作権料通知手段を有することを要旨とする。
【００１８】
請求項５記載の本発明は、利用者端末とコンピュータネットワークを介して相互に通信可能なコンピュータが、利用者が購入した著作物の購入履歴情報に基づいて重複購入を防止しつつ、前記利用者が購入する著作物を前記利用者端末に提供する著作物提供方法であって、前記利用者端末内に記憶されている著作物及び該著作物の属性情報を検出する著作物検出ステップと、前記購入履歴情報と前記著作物検出手段で検出した著作物の属性情報との差分情報を抽出して、該差分情報を前記購入履歴情報に反映する購入履歴更新ステップと、を有することを要旨とする。
【００１９】
ここで、コンピュータとは、プログラムによって本発明の機能を実現することが可能な装置を総称しており、スーパーコンピュータ、汎用コンピュータ、オフィス・コンピュータ、ワークステーション、パソコン、マイクロコンピュータ、ＰＤＡ（Ｐｅｒｓｏｎａｌ  Ｄｉｇｉｔａｌ  Ａｓｓｉｓｔａｎｃｅ）などあらゆる形態を含む。また、構成としては、一つからなる装置、分散されて複数の装置がネットワーク接続されたシステムなどのいずれの構成であっても良い。
【００２０】
請求項６記載の本発明は、請求項５記載の発明において、前記購入履歴情報に含まれる著作物と前記利用者が購入しようとする著作物に重複がある場合には、前記利用者に重複ある旨の通知を行う重複情報通知ステップを有することを要旨とする。
【００２１】
請求項７記載の本発明は、請求項５又は６記載の発明において、前記利用者が購入しようとする著作物は、複数の著作物により構成された著作物集合体であることを要旨とする。
【００２２】
請求項８記載の本発明は、請求項５乃至８のいずれか１項に記載の発明において、購入する著作物の使用条件又は購入する著作物の使用条件と前記購入履歴情報における使用条件との差異に基づいて、前記利用者が購入する著作物の著作権料を算出して、前記利用者端末に通知する著作権料通知ステップを有することを要旨とする。
【００２３】
請求項９記載の本発明は、利用者端末とコンピュータネットワークを介して相互に通信可能なコンピュータが、利用者が購入した著作物の購入履歴情報に基づいて重複購入を防止しつつ、前記利用者が購入する著作物を前記利用者端末に提供する著作物提供プログラムであって、前記コンピュータに、前記利用者端末内に記憶されている著作物及び該著作物の属性情報を検出する著作物検出ステップと、前記購入履歴情報と前記著作物検出手段で検出した著作物の属性情報との差分情報を抽出して、該差分情報を前記購入履歴情報に反映する購入履歴更新ステップと、を実行させることを要旨とする。
【００２４】
ここで、プログラムには、プログラムの指示に基づきコンピュータ上で稼動しているＯＳや、データベース管理ソフト、ネットワークソフトなどのミドルウェアなどが本実施形態を実現するための各処理の一部を実行するようなものも含まれる。
【００２５】
請求項１０記載の本発明は、請求項９記載の発明において、前記コンピュータに、前記購入履歴情報に含まれる著作物と前記利用者が購入しようとする著作物に重複がある場合には、前記利用者に重複ある旨の通知を行う重複情報通知ステップを実行させることを要旨とする。
【００２６】
請求項１１記載の本発明は、請求項９又は１０記載の発明において、前記利用者が購入しようとする著作物は、複数の著作物により構成された著作物集合体であることを要旨とする。
【００２７】
請求項１２記載の本発明は、請求項９乃至１１のいずれか１項に記載の発明において、前記コンピュータに、購入する著作物の使用条件又は購入する著作物の使用条件と前記購入履歴情報における使用条件との差異に基づいて、前記利用者が購入する著作物の著作権料を算出して、前記利用者端末に通知する著作権料通知ステップを実行させることを特徴とする著作物提供プログラム。
【００２８】
請求項１３記載の本発明は、請求項９乃至１２のいずれか１項に記載の著作物提供プログラムがコンピュータ読み取り可能な記録媒体に記録されていることを要旨とする。
【００２９】
ここで、記録媒体とは、例えば、半導体メモリ、磁気ディスク、光ディスク、光磁気ディスク、磁気テープなどのプログラムを記録することができるようなコンピュータ読み取り可能な記録媒体をいう。
【００３０】
【発明の実施の形態】
以下、本発明の実施の形態を図面を用いて説明する。
【００３１】
図１は、本発明の実施の形態に係る著作物提供システム１００の概略構成図である。著作物提供システム１００は、著作物提供装置１、利用者端末３、及び著作物提供装置１と利用者端末３とを接続するインターネット網などのコンピュータネットワーク２を備えており、利用者があらゆるメディアから購入した著作物を著作物提供装置１が一元的に管理することにより、利用者がコンピュータネットワーク２を介して著作物提供装置１から著作物を購入する際には重複購入を防止することができるようになっているコンピュータシステムである。
【００３２】
著作物提供装置１は、著作物提供データベース（以下、著作物提供ＤＢという）１１と、ＣＰＵ等から構成され、著作物提供ＤＢ１１の制御、データの転送、種々の演算、データの一時的な格納等を行う制御部１２とを備えている。
【００３３】
ここで、著作物提供ＤＢ１１は、詳しくは、音楽ファイルなどの著作物１１１、著作物管理テーブル１１２、著作物リスト管理テーブル１１３、利用者管理テーブル１１４、及び利用者所有著作物管理テーブル１１５を有する構成となっている。
【００３４】
著作物管理テーブル１１２は、図２（ａ）及び（ｂ）に示すように、著作物ＩＤ、著作物名、アーティスト名、提供可否情報、提供者ＩＤ、複数の使用条件などの項目を備えており、著作物に関する種々の属性情報を管理するためのマスタテーブルとなっている。尚、著作物管理テーブル１１２においては、著作物ＩＤが著作物管理テーブル１１２のレコードを一意に決定する識別情報となっている。
【００３５】
著作物リスト管理テーブル１１３は、図３に示すように、リストＩＤ、著作物リスト名、ジャンル、使用条件など著作物の集合体としての著作物リストに関する情報ｄ１と、この著作物リストを構成する音楽に関する情報ｄ２とから構成されている。これにより、利用者は、単体としての音楽ファイルの提供だけではなく、音楽アルバムとして音楽ファイルの提供を受けることが可能となっている。尚、著作物リスト管理テーブル１１３においては、リストＩＤが著作物リスト管理テーブル１１３のレコードを一意に決定する識別情報となっている。
【００３６】
利用者管理テーブル１１４は、図４に示すように、利用者ＩＤ、名前、性別、生年月日、メールアドレスなど利用者の属性に関する項目を備えており、利用者ＩＤが利用者管理テーブル１１４のレコードを一意に決定する識別情報となっている。
【００３７】
利用者所有著作物管理テーブル１１５は、利用者が購入した音楽ファイルの購入履歴に関する情報を記憶しているテーブルであり、利用者ＩＤ、著作物ＩＤ、取得日、使用条件、ファイル所在などの項目を備えて、利用者ごとに所有している著作物およびその使用条件、さらには所有している音楽ファイルの利用者端末３上におけるファイル所在をも管理している。尚、利用者所有著作物管理テーブル１１５においては、利用者ＩＤ、著作物ＩＤが利用者所有著作物管理テーブル１１５のレコードを一意に決定する識別情報となっている。
【００３８】
尚、著作物提供装置１は上述したようなアプリケーションサーバ及びデータベースサーバとしての機能の他、図示してはいないが、Ｗｅｂサーバ、メールサーバとしての機能も有しており、利用者端末３とＷｅｂおよび電子メールを活用した情報授受ができるようになっている。ここで、電子メールに関しては、利用者管理テーブル１１４に管理されているメールアドレス情報を用いて電子メールを送信するようになっている。また、著作物提供装置１の構成としては、図１に示すような一つからなる装置の他、分散されて複数の装置がネットワーク接続されたシステムなどの構成をとってもよい。
【００３９】
利用者端末３は、コンピュータネットワーク２に接続されているパソコンなどであり、この利用者端末３には、ブラウザソフト、電子メールソフト、音楽ファイル作成ソフト、及び音楽ファイル再生ソフトなどがインストールされている。利用者端末３は、このブラウザ機能及び電子メール機能により、著作権提供装置１と情報のやりとりを行うことができるようになっているとともに、利用者端末３上においては、音楽ＣＤなどの著作物記録媒体４から例えばＭＰ３形式などの音楽ファイルの作成及び該音楽ファイルの再生を行うことができるようになっている。そして、上記音楽ファイル作成ソフトにより作成された、種々の音楽ファイルを著作物ファイル３１として、該音楽ファイルの属性情報を著作物属性情報ファイル３２として管理している。
【００４０】
以下、著作物提供システム１００の動作を図６乃至９を用いて説明する。ここで、図６は、利用者が購入した著作物に関する属性情報を著作物提供装置１に反映する処理を説明するシーケンス図であり、図７は、利用者が著作物提供装置１から著作物を購入する処理を説明するシーケンス図である。また、図８は、自己の購入した著作物に関する属性情報を入力する画面を説明する図であり、図９は、利用者所有著作物管理テーブル１１５のデータの変遷を説明する図である。
【００４１】
（１）  属性情報反映処理
まず、利用者は、利用者端末３において自己の購入した著作物記録媒体４から音楽ファイルを作成する（ステップＳ１）。
【００４２】
次に、利用者は、例えば、図８に示すような音楽ファイルの属性情報登録画面ｄｉｓ１から、作成した音楽ファイルのタイトル名、アーティスト名、曲のジャンルなどの属性情報を入力する（ステップＳ２）。これにより、利用者端末３には、利用者の購入した音楽ファイル３１が著作物ファイル３１として登録されるとともに、この音楽ファイルの属性情報が著作物属性情報ファイル３２に登録される。尚、属性情報を変更・削除する場合においても、同様に、属性情報登録画面ｄｉｓ１を用いて、変更・削除処理を行う。
【００４３】
次に、利用者は、利用者端末３をコンピュータネットワーク２を介して著作物提供装置１に接続して、属性情報の反映処理を指示する（ステップＳ３）。著作物提供装置１は、利用者端末３からの反映指示を受けると、利用者端末３上の任意のフォルダを検索し、検索の結果、発見された著作物ファイル３１及び著作物属性情報ファイル３２と、利用者所有著作物管理テーブル１１５の利用者のデータとを比較参照することで、新たに追加されたもしくは変更・削除された音楽ファイルとその属性情報の一覧を取得する（ステップＳ４〜Ｓ７）。
【００４４】
これは、利用者端末３上に新しい音楽ファイルが存在することと利用者端末３上から音楽ファイルが削除されたことは、利用者所有著作物管理テーブル１１５のファイル所在情報と利用者端末３上のファイルの存在実態を比較することで判断するものである。また、利用者端末３上の音楽ファイルの変更は、利用者所有著作物管理テーブル１１５の取得日と利用者端末３上のファイル生成日を比較することで判断するものである。尚、検索時間の迅速化の観点からは、所定の検索用フォルダに音楽ファイル及び属性情報を保存しておき、該検索用フォルダに限定して利用者端末３上を検索するのが望ましい。
【００４５】
そして、利用者端末３上に新しい音楽ファイルが存在する場合には、著作物提供装置１は、その音楽ファイルの属性情報（例えば、アルバム名、著作物名、アーティスト名など）をキーに著作物管理テーブル１１２を検索し、その音楽ファイルの情報が著作物管理テーブル１１２に管理されているかどうかを確認する（ステップＳ８〜Ｓ９）。そして、利用者が所有する音楽ファイルの情報が著作物管理テーブル１１２で管理されていない場合には、著作物提供装置１は、その音楽ファイルに対し新たな著作物ＩＤを割り振り、著作物管理テーブル１１２に新たに情報を登録する（図２（ｂ）参照）（ステップＳ１０〜Ｓ１１）。ここで、この新たに登録された音楽ファイルに関しては、個人固有のものと考えられるので販売は不可（提供可否は、否の状態で設定される）となるが、後日著作物提供装置１を通じて販売されるようになった場合には、提供者ＩＤ、提供可否（可の状態で設定される）、使用条件などの情報を付加して著作物管理テーブル１１２を更新する。
【００４６】
次に、著作物提供装置１は、差分抽出された追加、変更又は削除された音楽ファイルの情報を利用者所有著作物管理テーブル１１５に反映する（ステップＳ１２）。
【００４７】
尚、この利用者所有著作物管理テーブル１１５への反映は、例えば、具体的には、図９（ｂ）に示すように、著作物ＩＤ、取得日、取得方法（ユーザ登録）、使用条件情報、ファイル所在などの項目が設定された利用者所有著作物管理データｄ１５が著作物管理テーブル１１５に登録されることを意味する。
【００４８】
これにより、利用者が著作物提供装置１から音楽ファイルを購入した場合でなくても、利用者端末３に自己の購入した音楽ファイルを作成して、この音楽ファイルの属性情報を登録しておけば、著作物提供装置１は、利用者端末３上を検索し、上記音楽ファイルの属性情報を利用者所有著作物管理テーブル１１５に反映することができるので、利用者が多様なメディアを通して購入した音楽ファイルを一元的に管理することができる。
【００４９】
（２）  著作物購入処理
まず、利用者は、著作物提供装置１が提供する著作物の集合体を記述した著作物リスト（例えば、あるアーティストの選曲集など）から、購入したい著作物リストを選択し、それに含まれるすべての著作物を選択し、その使用条件（例えば、無制限に著作物を利用できる、最大５０回まで著作物を利用できる、購入日から３ヶ月間限定で著作物を利用できるなど）を指定し、購入手続きを行う（ステップＳ２１）。
【００５０】
これは、著作物リスト管理テーブル１１３に記憶されている著作物リスト管理データを表示して、利用者に所望の著作物リスト及び使用条件を選択させるものである。尚、上記購入においては、著作物リストから複数の著作物を購入する例を説明したが、単体の著作物を購入することはもちろん可能である。
【００５１】
次に、著作物提供装置１は、利用者が購入しようとする著作物や著作物リストに含まれる著作物と利用者所有著作物管理テーブル１１５の著作物とを比較照合し、既に所有している著作物との重複の有無を確認する（ステップＳ２２，Ｓ２３）。
【００５２】
重複する著作物がある場合には、著作物提供装置１はその著作物の使用条件を確認し、所有する著作物の条件が今回購入する際に指定した条件と同一であるかどうかを判別する（例えば、条件無制限の購入を指定したが、所有する著作物の使用期限が決められている、など）（ステップＳ２４，Ｓ２５）。
【００５３】
使用条件を含めて著作物が重複する場合（著作物同一かつ使用条件同一の場合）には、著作物提供装置１は利用者に対して、その旨及び該当する著作物の情報を提示し、その著作物を購入するかどうかの確認を行う（ステップＳ２７，Ｓ２８）。
【００５４】
また、著作物は重複するが、使用条件が同一でない場合には、著作物提供装置１は利用者に対し、その旨及び該当する著作物の情報を提示し、その著作物を購入するかどうかを含め、どちらの条件に合わせた著作物購入をするかの確認を行う（ステップＳ２６，Ｓ２８）。これは、例えば、利用者がこれまで使用条件「３ヶ月限定で著作物を利用できる」を「無制限に著作物を利用できる」に変更することの確認を意味する。
【００５５】
次に、重複する旨の通知を受けた利用者が、購入条件を確認して、購入条件の指示を著作物提供装置１に与えると、著作物提供装置１は、利用者が購入する著作物の金額を算出し、利用者に通知する（ステップＳ２９〜Ｓ３１）。これは、利用者が使用条件を変更せずに著作物を購入する場合は、著作物管理テーブル１１２の使用条件に合致した金額の合計を算出し、利用者に通知するものであり、また、使用条件を変更する場合は、その条件の差額分の金額を算出して、利用者に通知するものである。例えば、具体的には、図２（ａ）に示す「３ヶ月限定で著作物を利用できる」から「無制限に著作物を利用できる」に変更する場合は、「無制限」の使用条件対価が３００円、「３ヶ月限定」の使用条件対価が５０円であることから、３００−５０＝２５０円が新たに請求される金額となる。
【００５６】
尚、利用者が購入しようとする著作物や著作物リストに含まれる著作物と、既に所有している著作物との間に重複がない場合には、購入しようとする著作物の著作権料を著作物管理テーブル１１２又は著作物リストテーブル１１３の使用条件を参照して金額算出し、利用者に通知する（ステップＳ３０〜Ｓ３１）。
【００５７】
次に、利用者は、通知された著作権料を確認し、最終的に購入の確認を行う（ステップＳ３２）。これにより、著作物提供装置１は、購入選択された著作物を利用者端末３に送信し、利用者は購入した著作物を受け取る（ステップＳ３３，Ｓ３４）。
【００５８】
ここで、利用者が著作物リストに含まれるすべての著作物を購入する場合には、著作物提供装置１は利用者が指定する任意のフォルダの配下に著作物リスト名でフォルダを作成し、すべての著作物をそのフォルダに送信する。また、利用者が著作物リストの一部の著作物のみを購入する場合（所有している著作物を購入しなかった場合）には、著作物提供装置１は利用者が指定する任意のフォルダの配下に著作物リスト名でフォルダを作成し、購入したすべての著作物をそのフォルダに送信する一方、購入しなかった著作物をそれが所在するフォルダから作成したフォルダにコピーするもしくは、その著作物の所在を記したリンクファイルを作成する。
【００５９】
最後に、著作物提供装置１は、利用者が新たに購入した著作物もしくは使用条件を変更して購入した著作物について、音楽ファイルの情報を利用者所有著作物管理テーブル１１５に反映する（ステップＳ３５）。ここで、この利用者所有著作物管理テーブル１１５への反映は、例えば、具体的には、図９（ｃ）に示すように、著作物ＩＤ、取得日、取得方法（オンライン）、使用条件情報（利用制限無）、ファイル所在などの項目が設定された利用者所有著作物管理データｄ１６，ｄ１７が著作物管理テーブル１１５に登録されることを意味する。
【００６０】
これにより、利用者が著作物提供装置１から音楽ファイルを購入する場合には、利用者が多様なメディアを介して今までに購入した音楽ファイルの購入履歴が一元的に管理されているので、重複購入を防止することができ、必要な音楽ファイルだけを過不足なく効率的に購入することができる。また、著作物提供装置１は、購入する著作物及び使用条件に応じて著作権料を的確に算出して、利用者に提示するので、利用者は正確な著作権料を支払うことができる。
【００６１】
そして、このことは、利用者が複数の著作物から構成される著作物の集合体を購入する場合において、特に有効に機能するものであり、著作物の集合体単位に購入したとしても、利用者が真に必要な著作物だけを使用条件に応じた著作権料にて購入することが可能となる。
【００６２】
以上、本発明の実施の形態について説明してきたが、本発明の要旨を逸脱しない範囲において、本発明の実施の形態に対して種々の変形や変更を施すことができる。例えば、上記実施の形態の著作物提供システム１００においては、音楽ファイルを提供する場合を例に挙げて説明したが、著作物は音楽ファイルに限定されるものではなく、その他のデジタルコンテンツにも適用できるのはもちろんである。
【００６３】
また、上記実施の形態においては、利用者の購入した著作物を検索する際に、利用者端末を検索するようになっているが、この利用者端末は１つであってもよいし、複数の利用者端末がネットワークされた構成となっていて、該複数の利用者端末を検索するようになっていてもよい。
【００６４】
尚、上記実施の形態の著作物提供装置１の動作は、著作物提供装置１に格納されたプログラムを実行することにより実現される。そして、このプログラムは、ハードディスク、フレキシブルディスク、ＣＤ−ＲＯＭ、ＭＯ、ＤＶＤ−ＲＯＭなどのコンピュータ読み取り可能な記録媒体に記録することも、通信ネットワークを介して配信することも可能である。
【００６５】
【発明の効果】
以上説明したように、本発明の著作物提供装置によれば、利用者端末に格納されている著作物を検出して、利用者の著作物所有状況を把握できるので、利用者が多様なメディアを通じて購入した著作物を一元管理することが可能となり、以て利用者がコンピュータネットワーク上で提供される著作物を購入する際には、著作物の重複購入を防止することができる。
【図面の簡単な説明】
【図１】本発明の実施の形態に係る著作物提供システムの概略構成図である。
【図２】本発明の実施の形態に係る著作物管理装置の著作物管理テーブルの一例を説明する図である。
【図３】本発明の実施の形態に係る著作物管理装置の著作物リスト管理テーブルの一例を説明する図である。
【図４】本発明の実施の形態に係る著作物管理装置の利用者管理テーブルの一例を説明する図である。
【図５】本発明の実施の形態に係る著作物管理装置の利用者所有著作物管理テーブルの一例を説明する図である。
【図６】本発明の実施の形態に係る著作物管理システムにおいて、利用者が自己の購入した著作物に関する属性情報を著作物提供装置に反映する処理を説明するシーケンス図である。
【図７】本発明の実施の形態に係る著作物管理システムにおいて、利用者が著作物提供装置から著作物を購入する処理を説明するシーケンス図である。
【図８】本発明の実施の形態に係る著作物管理システムにおいて、自己の購入した著作物に関する属性情報を入力する画面を説明する図である。
【図９】本発明の実施の形態に係る著作物管理装置の利用者所有著作物管理テーブル１１５のデータの変遷を説明する図である。
【符号の説明】
１  著作物提供装置
２  コンピュータットワーク
３  利用者端末
４  著作物記録媒体
１１  著作物提供ＤＢ
１２  制御手段
３１  著作物ファイル
３２  著作物属性情報ファイル
１００  著作物提供システム
１１１  著作物
１１２  著作物管理テーブル
１１３  著作物リスト管理テーブル
１１４  利用者管理テーブル
１１５  利用者所有著作物管理テーブル
【図１】
2004185430.tif 000003
【図２】
2004185430.tif 000004
【図３】
2004185430.tif 000005
【図４】
2004185430.tif 000006
【図５】
2004185430.tif 000007
【図６】
2004185430.tif 000008
【図７】
2004185430.tif 000009
【図８】
2004185430.tif 000010
【図９】
2004185430.tif 000011